(57)【要約】【課題】シンク底面の利用効率を低下させることなく、且つ高い清潔性および清掃性を得ることが可能な排水口用ごみかごを提供することを目的とする。【解決手段】本発明にかかる排水口用ごみかごの構成は、シンク１００に設けられた排水口１２０に設置される排水口用ごみかご（ごみかご１６０）であって、上方が開口したかご部１６２と、シンク１００の底面（傾斜面１１０）とかご部１６２の下面との間を離間させる脚部１６４と、を備え、脚部１６４は、排水口１２０の上方に設置可能であることを特徴とする。【選択図】図２
2016014221.tif 000002
【特許請求の範囲】
【請求項１】
シンクに設けられた排水口に設置される排水口用ごみかごであって、
上方が開口したかご部と、
前記シンクの底面と前記かご部の下面との間を離間させる脚部と、
を備え、
前記脚部は、前記排水口の上方に設置可能であることを特徴とする排水口用ごみかご。
【請求項２】
平面視において前記排水口と同一の形状であることを特徴とする請求項１に記載の排水口用ごみかご。
【発明の詳細な説明】
【技術分野】
【０００１】
本発明は、シンクに設けられた排水口に設置される排水口用ごみかごに関するものである。
【背景技術】
【０００２】
従来からキッチンでは、キッチンキャビネットにシンクが一体に組み込まれていて、かかるシンクにおいて食材の調理や食器の洗浄が行われる（例えば特許文献１）。シンクの排水口には、食器に付着していた食べ残しや、調理時の食材の野菜くず等（以下、野菜くず等と称する）を補足する網や、それを兼ねた蓋が配置されるが、これとは別に、シンク内には、調理時の大きめの野菜くず等を入れるごみかご、いわゆる三角コーナーが設けられることが多い。
【先行技術文献】
【特許文献】
【０００３】
【特許文献１】特開平５−３２９０２７号公報
【発明の開示】
【発明が解決しようとする課題】
【０００４】
上述したように、シンク内にごみかごを設けることにより、大きめの野菜くず等はごみかごに捨て、小さめの野菜くず等は排水口の網や蓋で補足することができ、シンクのおける作業性を高めることができる。しかしながら、シンクでは、排水口が配置されている領域は食器等を載置しづらいため、ごみかごを載置すると、シンクの底面において利用可能な領域が更に狭まってしまう（底面の利用効率が低下する）。またごみかごを設けると、そこに入れたごみくず等からの水滴がシンク底面に滴り落ち、ごみかごの下方のシンク底面にぬめりが生じやすくなるため、清潔性や清掃性が損なわれることも課題となっていた。
【０００５】
本発明は、このような課題に鑑み、シンク底面の利用効率を低下させることなく、且つ高い清潔性および清掃性を得ることが可能な排水口用ごみかごを提供することを目的としている。
【課題を解決するための手段】
【０００６】
上記課題を解決するために、本発明にかかる排水口用ごみかごの代表的な構成は、シンクに設けられた排水口に設置される排水口用ごみかごであって、上方が開口したかご部と、シンクの底面とかご部の下面との間を離間させる脚部と、を備え、脚部は、排水口の上方に設置可能であることを特徴とする。
【０００７】
上記構成によれば、排水口用ごみかご（以下、ごみかごと称する）を排水口の上方に設置可能であるため、シンクの底面のより広い領域を使用することができる。このとき、脚部によってシンクの底面とかご部の下面とが離間していることにより、ごみかごを配置しても、排水口への水の流れを阻害することがない。したがって、良好な排水性を確保することが可能となる。またごみかごが、シンク底面ではなく排水口の上方に配置されることにより、シンク底面への水滴への滴り落ちがなくなるため、ぬめりの発生が抑制される。したがって、シンク底面において高い清潔性および清掃性を得ることが可能である。
【０００８】
当該排水口用ごみかごは、平面視において排水口と同一の形状であるとよい。かかる構成によれば、ごみかごがあたかも排水口と一体のように感じられるため、ごみかごを配置した際の違和感がなく、美観を高めることが可能である。
【発明の効果】
【０００９】
本発明によれば、シンク底面の利用効率を低下させることなく、且つ高い清潔性および清掃性を得ることが可能な排水口用ごみかごを提供することができる。
【図面の簡単な説明】
【００１０】
【図１】本実施形態にかかる排水口用ごみかごが設置されるキッチン用シンクの全体斜視図である。
【図２】本実施形態にかかる排水口用ごみかごが設置されるキッチン用シンクの全体斜視図である。
【図３】図２の断面図である。
【図４】本実施形態のごみかごの他の配置例を示す図である。
【図５】本実施形態のごみかごの他の形状を例示する図である。
【発明を実施するための形態】
【００１１】
以下に添付図面を参照しながら、本発明にかかる排水口用ごみかごの好適な実施形態について詳細に説明する。かかる実施形態に示す寸法、材料、その他具体的な数値などは、発明の理解を容易とするための例示に過ぎず、特に断る場合を除き、本発明を限定するものではない。なお、本明細書および図面において、実質的に同一の機能、構成を有する要素については、同一の符号を付することにより重複説明を省略し、また本発明に直接関係のない要素は図示を省略する。
【００１２】
図１および図２は、本実施形態にかかる排水口用ごみかごが設置されるキッチン用シンクの全体斜視図であり、図１は、排水口用ごみかごが設置される前の状態のキッチン用シンクを例示していて、図２は、排水口用ごみかごが設置された後の状態のキッチン用シンクを例示している。なお、以下の説明では、排水口用ごみかごをごみかご１６０と称し、キッチン用シンクをシンク１００と称する。
【００１３】
図１および図２に示すように、本実施形態にかかるシンク１００は、傾斜面１１０、排水口１２０および誘導溝１３０を含んで構成される。傾斜面１１０は、シンク１００の底面であり、その周囲の縁からは壁面１４０が立設している。また本実施形態では、シンク１００の奥側の左隅に、壁面１４０から連続し、水栓（不図示）が取り付けられる取付孔１５２が上面に配置された膨出部１５０が設けられている。更に本実施形態では、膨出部１５０の手前側に、傾斜面１１０の側縁１１２ｂに沿うように排水口１２０が配置されている。
【００１４】
図３は、図２の断面図であり、図３（ａ）は図２のＡ−Ａ断面図であり、図３（ｂ）は図２のＢ−Ｂ断面図であり、図３（ｃ）は図２のＣ−Ｃ断面図である。図３（ａ）に示すように傾斜面１１０は、奥行き方向で手前側に向かうにしたがって下方に傾斜している。これにより、水栓からの水は、矢印Ｄ１方向、すなわちシンク１００の手前側に向かって流れていくこととなる。
【００１５】
図１および図２に示すように、誘導溝１３０は、傾斜面１１０の手前側の縁（以下、手前縁１１２ａと称する）から側縁１１２ｂに沿って延びて排水口１２０に連続している。説明の便宜上、本実施形態では、シンク１００の手前側の左コーナーを境に、傾斜面１１０の手前縁１１２ａに沿って延びる、すなわちシンク１００の長手方向に延びる誘導溝を長手側誘導溝１３０ａと称し、傾斜面１１０の側縁１１２ｂに沿って延びる、すなわちシンク１００の短手方向に延びる誘導溝を短手側誘導溝１３０ｂと称する。またこれらの長手側誘導溝１３０ａおよび短手側誘導溝１３０ｂの両方をさす場合には誘導溝１３０と称する。
【００１６】
図３（ｂ）および（ｃ）に示すように、誘導溝１３０である長手側誘導溝１３０ａおよび短手側誘導溝１３０ｂは、傾斜面１１０よりも下方に窪んだ溝であり、排水口１２０に向かうにしたがって下方に傾斜している。詳細には、図３（ｂ）に示すように、長手側誘導溝１３０ａは、左右方向において排水口１２０が設けられている側（本実施形態においては左側）に向かうにしたがって下方に傾斜している。図３（ｃ）に示すように、短手側誘導溝１３０ｂは、奥行き方向において排水口１２０が設けられている側、すなわち奥側に向かうにしたがって下方に傾斜している。
【００１７】
上記説明したように、本実施形態のシンク１００において、その底面となる傾斜面１１０は、従来のような排水口１２０に向かうすり鉢状の傾斜ではなく、かかる傾斜面１１０の手前側に設けられた誘導溝１３０（厳密には長手側誘導溝１３０ａ）に向かう平坦な傾斜である。そして、水栓が取り付けられる取付孔１５２がシンク１００の奥側に設けられていることから、傾斜面１１０において、水栓からの吐水位置は、野菜くず等が発生する手前側の領域よりも上流側に位置することとなる。これにより、図１に模式的に示す野菜くず等（以下、野菜くず１０２と称する）は、傾斜面１１０の奥側（上流側）からＤ１方向に流れてきた水流によって長手側誘導溝１３０ａに向かって流される。
【００１８】
そして、長手側誘導溝１３０ａが排水口１２０に向かうにしたがって下方に傾斜していることにより、長手側誘導溝１３０ａに流れこんだ野菜くず１０２は、それと一緒に長手側誘導溝１３０ａに流れ込んだ水流によって、図１に示す矢印Ｄ２方向、すなわち排水口１２０と連続している短手側誘導溝１３０ｂに向かって流れていく。このとき、短手側誘導溝１３０ｂにおいても排水口１２０に向かうにしたがって下方に傾斜していることにより、短手側誘導溝１３０ｂに流れ込んだ野菜くず１０２は、そこに流れ込んだ水によって矢印Ｄ３方向に流されて排水口１２０に至り、短手側誘導溝１３０ｂを流れる水は排水口１２０へと導かれる。
【００１９】
上記構成によれば、食器等を洗浄する際に流れた水が傾斜面１１０を流れることにより、傾斜面１１０の手前側の領域にある野菜くず１０２が自然に誘導溝１３０に向かって流れ、排水口１２０に案内される。したがって、食器等の洗浄作業が終了する頃には野菜くず１０２の除去も完了することとなる。これにより、使用者は従来のような野菜くず１０２をかき集める作業が不要となり、高い快適性を得ることが可能となる。
【００２０】
また野菜くず１０２が洗浄作業時の水流によって自然に排水口１２０に移動することにより、シンク１００の底面（傾斜面１１０）への野菜くずの滞留が防がれる。特に傾斜面１１０が平坦に傾斜していることにより、従来のようなすり鉢状の傾斜の場合よりも広い領域に水流が流れ、野菜くず１０２の滞留が一層抑制される。これにより、野菜くず１０２の滞留に起因するシンク１００の底面への汚れの付着を好適に防ぐことができ、常に清潔な状態を保つことができる。したがって、使用者はシンク１００の清掃を容易に行うことができ、高い清掃性を得ることが可能となる。
【００２１】
更に本実施形態では、排水口１２０を、傾斜面１１０の左右方向において、水栓が配置される側、すなわち取付孔１５２が設けられる側に寄せて配置している。これにより、水栓からの水の流れによって傾斜面１１０に落ちた野菜くず１０２が排水口１２０に向かって流れやすくなり、上述した効果をより高めることが可能となる。
【００２２】
また排水口１２０は、傾斜面１１０の左右方向において、キッチンの調理スペース（不図示）が設けられる側に寄せて配置されているとよい。本実施形態では、キッチンの調理スペースがシンク１００の左側に設けられることを想定し、排水口１２０をシンク１００の左側に寄せて配置している。これにより、キッチンの調理スペースで発生した野菜くず１０２が排水口１２０側に落下するため、野菜くず１０２が流水によって流れやすくなる。
【００２３】
本実施形態の特徴として、シンク１００に設けられた排水口１２０には、図１に示すごみかご１６０が設置される。図１に示すように、本実施形態のごみかご１６０は、かご部１６２および脚部１６４を含んで構成される。かご部１６２は、上方が開口していて、その内部に野菜くず等のごみが入れられる。かご部１６２の下面には脚部１６４が取り付けられていて、脚部１６４は、シンク１００の底面である傾斜面１１０とかご部１６２の下面との間を離間させる。
【００２４】
図１に示すごみかご１６０は、図２に示すように排水口１２０の上方に設置される。すなわち、ごみかご１６０はシンク１００の底面に設置面積を要しない。これにより、従来のようにシンク１００の底面にごみかごを載置した場合に比して、シンク１００の底面のより広い領域を使用することができ、底面の利用効率を高めることが可能となる。またごみかご１６０が排水口１２０の上方に配置されることにより、ごみかご１６０に入れられたごみからのシンク１００の底面（傾斜面１１０）への水滴への滴り落ちを防ぐことができる。したがって、シンク１００の底面のぬめりを抑制することができ、清掃性および清潔性を高めることが可能となる。
【００２５】
また本実施形態では、図１に示すように、平面視において、ごみかご１６０の形状を排水口１２０と同一としている。これにより、図２に示すように、ごみかご１６０と排水口１２０に一体感をもたせることができるため、ごみかご１６０を配置した際の違和感を低減し、美観の向上を図ることが可能となる。また、ごみかご１６０のいずれの箇所から水が滴ったとしても、確実に排水口１２０の中に落下させることができる。言い換えると、滴った水が排水口１２０の中に落ちるという条件において、ごみかご１６０の底面積を最大限にすることができる。
【００２６】
図４は、本実施形態のごみかご１６０の他の配置例を示す図である。図５は、本実施形態のごみかごの他の形状を例示する図である。図４に示すように、上記説明したごみかご１６０は、排水口１２０の上方ではなく、従来のようにシンク１００の底面（本実施形態においては傾斜面１１０）に配置することも可能である。
【００２７】
また図１および図２に示すごみかご１６０は、平面視において三角形状であるが、ごみかご１６０は、図５（ａ）に示すように円形状であってもよい。ここで、本実施形態のごみかご１６０は、上述したように脚部１６４によってシンク１００の底面（傾斜面１１０）とかご部１６２の下面とが離間される。
【００２８】
詳細には、図５（ｂ）に示すごみかご１６０を排水口１２０ａに上方からはめ込むと、図５（ｃ）に示すように、ごみかご１６０の脚部１６４が排水口１２０ａの縁に引っかかった状態となる。これにより、脚部１６４によってシンク１００ａの底面１１０ａとかご部１６２の下面とが高さ方向において離間し、それらの間に間隙が形成される。これにより、排水口１２０ａの上方にごみかご１６０を配置しても、排水口１２０ａへの水の流れが阻害されることがないため、良好な排水性を確保することが可能となる。
【００２９】
なお、本実施形態では、シンク１００の形状を横長の四角形状としているが、これに限定するものではなく、シンク１００は、例えば丸型やＬ字型等の他の形状としてもよい。また図１および図２に示すシンク１００では膨出部１５０を備える構成を例示しているが、これにおいても限定されず、図４に示すように、膨出部１５０を設けずに、シンク１００の外側に水栓が取り付けられる構成とすることも可能である。更に、膨出部１５０ひいては水栓（取付孔１５２）の位置においても、必ずしもシンク１００の奥側の左隅とする必要はなく、中央や右隅等、任意の位置に配置してよい。
【００３０】
以上、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【産業上の利用可能性】
【００３１】
本発明は、シンクに設けられた排水口に設置される排水口用ごみかごとして利用することができる。
【符号の説明】
【００３２】
１００…シンク、１０２…野菜くず、１１０…傾斜面、１１０ａ…底面、１１２ａ…手前縁、１１２ｂ…側縁、１２０…排水口、１２０ａ…排水口、１３０…誘導溝、１３０ａ…長手側誘導溝、１３０ｂ…短手側誘導溝、１４０…壁面、１５０…膨出部、１６０…ごみかご、１６２…かご部、１６４…脚部
【図１】
2016014221.tif 000003
【図２】
2016014221.tif 000004
【図３】
2016014221.tif 000005
【図４】
2016014221.tif 000006
【図５】
2016014221.tif 000007